(57)【要約】【課題】  閉塞部材の収容時における引戸を操作する力を低減させ、引戸の下枠と引戸枠の下枠との隙間が場所によって異なるような場合でも、確実に隙間を閉塞させることが可能な引戸のシール構造を提供する。  【解決手段】  引戸と、引戸の下枠１００に固定される固定フレーム２０と、固定フレーム２０に支持され、固定フレーム２０の下端面から突出入可能な閉塞フレーム３０と、引戸の水平方向の動きを閉塞フレーム３０の上下方向の動きに変換する動作変換部ＤＨとを備え、動作変換部ＤＨは、引戸枠の下枠と縦枠が交差部の近傍に、上方に突出する突出部２００ａと、固定フレーム２０に軸支され、突出部２００ａに当接して回動する作動片２２と、水平方向に移動可能に支持され、押圧部５４が形成された移動体５０と、被押圧部３２が形成された閉塞フレーム３０を備える引戸のシール構造である。【選択図】        図４
2005256553.tif 000002
【特許請求の範囲】
【請求項１】
引戸と、
前記引戸をガイドするレールが形成された下枠を有する引戸枠と、
前記引戸の下枠に固定される固定フレームと、
前記固定フレームに支持され、当該固定フレームの下端面から突出入可能に設けられた閉塞フレームと、
前記引戸の水平方向の動きを閉塞フレームの上下方向の動きに変換する動作変換部とを備える引戸のシール構造であって、
前記動作変換部は、
前記引戸枠の下枠と縦枠が交差する部分の近傍に、前記レールに沿って上方に突出して設けられた突出部と、
前記固定フレームに軸支され、前記引戸が移動した際に、前記突出部に当接して回動する作動片と、
前記固定フレーム内に、水平方向に移動可能に支持されると共に、押圧部が形成されている移動体と、
前記閉塞フレームに形成された被押圧部とを備え、
前記引戸を閉める方向に移動させた際に、前記作動片は、その一端部が前記突出部に当接すると共に他端部が前記移動体に当接しながら回動することにより、前記移動体を水平方向に移動させ、該移動体に形成されている押圧部が前記被押圧部を押圧することにより、前記閉塞フレームが下方に移動することを特徴とする引戸のシール構造。
【請求項２】
前記固定フレームと前記移動体との間に、引戸を閉めた際に、前記引戸を開ける方向に前記移動体を付勢する付勢力を作用させる第１の付勢手段が取り付けられ、
前記固定フレームと前記閉塞フレームとの間には、下位置に移動した際に閉塞フレームを上方向に付勢する付勢力を作用させる第２の付勢手段が取り付けられ、
前記引戸を開ける方向に移動させた際に、前記作動片の一端部が前記突出部から離反すると共に、前記作動片の他端部が前記移動体から離反し、
前記第１の付勢手段による付勢力により、前記引戸が開く方向に前記移動体が移動すると共に、前記第２の付勢手段による付勢力により、前記閉塞フレームが上方に移動することを特徴とする請求項１記載の引戸のシール構造。
【請求項３】
前記被押圧部は、前記閉塞フレームの中央部分に配設されていることを特徴とする請求項１または２に記載の引戸のシール構造。
【請求項４】
前記押圧部と前記被押圧部は、互いに摺動可能に形成されていることを特徴とする請求項１〜３のうちのいずれか一項記載の引戸のシール構造。
【請求項５】
前記閉塞フレームの下端部には緩衝材が取り付けられていることを特徴とする請求項１〜４のうちのいずれか一項記載の引戸のシール構造。
【発明の詳細な説明】
【技術分野】
【０００１】
本発明は引戸のシール構造に関し、より詳細には、引戸を閉めた際に、引戸の下枠と引戸枠の下枠の間に生じる隙間部分を閉塞するための引戸のシール構造に関する。
【背景技術】
【０００２】
従来、引戸のシール構造については、たとえば、引戸を閉めた状態においては引戸の下枠と引戸枠の下枠との隙間部分を閉塞し、引戸を開けた状態においては閉塞部材が引戸の下枠に収容されて引戸の移動を妨げないようにした引戸のシール装置が特許文献１において開示されている。
【特許文献１】実開昭６３−２０００９３号公報
【発明の開示】
【発明が解決しようとする課題】
【０００３】
しかしながら、引用文献１に記載されている引戸のシール装置においては、閉塞部材により引戸の下枠と引戸枠の下枠との間の隙間を閉塞する際とその閉塞を解除する際の両方において、不動部材を作動部材に乗り上げさせなければならない。したがって、引戸の開け閉めをするいずれの場合においても、相当の力を持って引戸を操作しなければならないという課題がある。
また、特許文献１においては、引戸の下枠から突出する閉塞部材の突出量がいずれの位置においても同じ突出量となっている。しかしながら、引戸および引戸枠はほとんどの場合、正確な矩形形状から若干変形しており、引戸の下枠と引戸枠の下枠との間に生じる隙間は場所によって広くなったり狭くなったりしているため、特許文献１における閉塞部材を用いても隙間の確実な閉塞は非常に困難であるという課題もある。
【０００４】
そこで本発明は、閉塞部材の収容時における引戸を操作する力を低減させると共に、引戸の下枠と引戸枠の下枠との隙間が場所によって異なっているような場合であっても、確実に隙間を閉塞させることが可能な引戸のシール構造の提供を目的としている。
【課題を解決するための手段】
【０００５】
以上の目的を達成するために本発明は以下に示す構成を有する。すなわち、引戸と、前記引戸をガイドするレールが形成された下枠を有する引戸枠と、前記引戸の下枠に固定される固定フレームと、前記固定フレームに支持され、当該固定フレームの下端面から突出入可能に設けられた閉塞フレームと、前記引戸の水平方向の動きを閉塞フレームの上下方向の動きに変換する動作変換部とを備える引戸のシール構造であって、前記動作変換部は、前記引戸枠の下枠と縦枠が交差する部分の近傍に、前記レールに沿って上方に突出して設けられた突出部と、前記固定フレームに軸支され、前記引戸が移動した際に、前記突出部に当接して回動する作動片と、前記固定フレーム内に、水平方向に移動可能に支持されると共に、押圧部が形成されている移動体と、前記閉塞フレームに形成された被押圧部とを備え、前記引戸を閉める方向に移動させた際に、前記作動片は、その一端部が前記突出部に当接すると共に他端部が前記移動体に当接しながら回動することにより、前記移動体を水平方向に移動させ、該移動体に形成されている押圧部が前記被押圧部を押圧することにより、前記閉塞フレームが下方に移動することを特徴とする引戸のシール構造である。
【０００６】
また、前記固定フレームと前記移動体との間に、引戸を閉めた際に、前記引戸を開ける方向に前記移動体を付勢する付勢力を作用させる第１の付勢手段が取り付けられ、前記固定フレームと前記閉塞フレームとの間には、下位置に移動した際に閉塞フレームを上方向に付勢する付勢力を作用させる第２の付勢手段が取り付けられ、前記引戸を開ける方向に移動させた際に、前記作動片の一端部が前記突出部から離反すると共に、前記作動片の他端部が前記移動体から離反し、前記第１の付勢手段による付勢力により、前記引戸が開く方向に前記移動体が移動すると共に、前記第２の付勢手段による付勢力により、前記閉塞フレームが上方に移動することを特徴とする。
これにより、閉塞フレームおよび閉塞フレームを押圧している部材の両方の部材を閉塞フレームが引戸の下枠に収容する方向に付勢させることができるので、特に力を入れることなく引戸を開けても、引戸の下枠部分と引戸枠の下枠との間の隙間の閉塞を確実に解除することができる。
【０００７】
また、前記被押圧部は、前記閉塞フレームの中央部分に配設されていることを特徴とする。
これにより、引戸の下枠からの閉塞フレームの突出量を不均一にすることができるので、引戸の下枠と引戸枠の下枠との間の隙間が建付け等の状態によって引戸の下枠の両端部分において隙間の広さが異なっている場合であっても、確実に閉塞部材により隙間を閉塞することができる。
さらに、前記押圧部と前記被押圧部は、互いに摺動可能に形成されていることを特徴とする。
これにより、移動体の横方向の動きを閉塞フレームの上下方向の動きに円滑に変換することができる。
【０００８】
さらにまた、前記閉塞フレームの下端部には緩衝材が取り付けられていることを特徴とする。
これにより、閉塞フレームが隙間を閉塞する際において、閉塞フレームが床面に接触した際に生じる音を軽減させることができる。
【発明の効果】
【０００９】
本発明によれば、引戸が軽く動かせて、確実に隙間をふさぐことができる。また、引戸の水平方向の動きを閉塞フレームの上下方向の動きに変換する機構を、簡単な構造で実現させることが可能になり、製造コストを抑えるとともに、メンテナンスが容易な引戸のシール構造を提供することができる。
【発明を実施するための最良の形態】
【００１０】
以下、本発明にかかる引戸のシール構造について図面と共に説明する。
図１は、本実施の形態における引戸のシール構造の組立説明図である。図２は、引戸の下枠部分における拡大説明図である。
【００１１】
本実施の形態における引戸のシール構造１０は引戸（図示せず）の下枠１００に設けられた凹溝１００ａに嵌合させるようにして取り付けられ、長手方向と直交する方向の断面形状が略逆なべ型に形成された固定フレーム２０と、固定フレーム２０の内部に上下方向に移動可能に支持され、長手方向と直交する方向の断面形状が略コ字状に形成された閉塞フレーム３０と、引戸の水平方向の移動を閉塞フレーム３０の上下動の動きに変換する動作変換部ＤＨとを備えている。
引戸は、図２に示されているように、引戸枠の下枠２００に形成された引戸の移動をガイドするレールＲに沿って戸車４０により水平方向に往復動可能に配設されている。引戸枠の下枠２００には、引戸枠の縦枠（図示せず）と交差する部分の近傍において上方に突出する突出部２００ａが配設されている。
【００１２】
固定フレーム２０は略逆なべ型に形成されていて、天板２０ａと、天板２０ａの両端からそれぞれ下方に延び、端縁部が外方へと屈曲するＬ字状の側板２０ｂ、２０ｂを有している。天板２０ａおよび側板２０ｂの屈曲先部分２０ｂｂには、所要間隔にネジ止め用のネジ孔ＮＨが設けられている。戸車４０は、側板２０ｂの所要位置に設けられたネジ孔ＮＨにネジ止めにより取り付けられている。また、側板２０ｂの中ほどの高さ位置には、固定フレーム２０の内部空間において引戸が閉塞する方向に回動可能な作動片２２が軸支されている。このように形成された固定フレーム２０は、天板２０ａを引戸の下枠１００に設けられた凹溝１００ａに進入させて、固定フレーム２０を凹溝１００ａに嵌合させた後に、ネジ止め等により引戸の下枠１００に固定される。
【００１３】
固定フレーム２０の内部には、水平方向のみに移動自在な移動体５０が、固定フレーム２０にネジ止め等により固定された支持フレーム５２によりガイドされた状態で支持されている。移動体５０には、引戸の下枠１００の長手方向中間部分において、下方に突出する半円形に形成された押圧部５４が形成されている。また、移動体５０の端部には、引戸を閉める方向に移動させた際に回動する作動片２２が当接する当接部５０ａが形成されている。
【００１４】
固定フレーム２０の内部空間に支持された移動体５０のさらに内側部分には、固定フレーム２０の内部に支持され、固定フレーム２０の下端部から突出入する閉塞フレーム３０が配設されている。閉塞フレーム３０は天板３０ａの両端からそれぞれ下方に延びる側板３０ｂ、３０ｂを有する略逆Ｕ字状に形成されている。天板３０ａの長手方向の中間部分には、移動体５０に配設された押圧部５４が乗り上がる被押圧部３２が設けられている。被押圧部３２の先端部は、押圧部５４の最下部の高さ位置より下方位置となるように形成されている。一方、側板３０ｂにおいては、固定フレーム２０に取り付けられている作動片２２を軸支する支持軸２４が配設されている位置に合わせて、支持軸２４を挿通する長孔３０ｃが形成されている。長孔３０ｃは上下方向に長く形成されている。また、それぞれの側板３０ｂ、３０ｂの下端部分には、緩衝材であるフェルト材３０ｄが配設されている。
【００１５】
本実施の形態における動作変換部ＤＨは、引戸枠の下枠２００と縦枠とが交差する部分の近傍において上方に突出して配設された突出部２００ａと、固定フレーム２０に回動可能に軸支され、引戸が閉まる方向に移動した際において、突出部２００ａに下端部（一端部）２２ａが当接して回動する作動片２２と、固定フレーム２０内に水平方向に移動可能に支持され、押圧部５４が形成された移動体５０と、閉塞フレーム３０に形成された被押圧部３２とにより構成されている。
【００１６】
引戸枠の下枠２００に形成された突出部２００ａは、図２に示されているように、引戸枠の左右の縦枠と交差する部分の近傍において、レールＲの上又はレールＲの延長線上に沿って５ｃｍ程度の長さに配設されている。突出部２００ａの高さは固定フレーム２０の内部に収まる高さであれば特に限定されるものではないが、引戸枠の下枠２００の表面からの突出量は５〜１０ｍｍ程度あれば十分である。
【００１７】
また、本実施の形態における固定フレーム２０と移動体５０には第１の付勢手段６０が係止される。また、閉塞フレーム３０には、第２の付勢手段７０が配設される。以下に、第１の付勢手段６０および第２の付勢手段７０について説明する。本実施の形態における第１の付勢手段６０および第２の付勢手段７０には、それぞれつるまきバネが用いられている。
【００１８】
第１の付勢手段に用いられるつるまきバネ６０は、固定フレーム２０の天板２０ａの下面の係止部２６と、移動体５０の下面の係止部５６との間にそれぞれの端部が係止されている。
第２の付勢手段に用いられるつるまきバネ７０は、閉塞フレーム３０を固定フレーム２０に支持させる際に、閉塞フレーム３０の天板３０ａに形成されたネジ孔ＮＨを通り、固定フレーム２０の天板２０ａに取り付けられるネジＮにより挿通され、閉塞フレーム３０の天板３０ａの下側表面とネジＮのネジ頭のネジ山側との間に配設されている。なお、つるまきバネ７０は、常に反発力が作用するように天板３０ａとネジＮとの間に圧縮された状態で配設されているのが好ましい。
【００１９】
本実施の形態における引戸のシール構造は以上に説明したとおりである。次に、本実施の形態における引戸のシール構造１０の動作について説明する。図３、図４は、本実施の形態の引戸のシール構造における各部品の作用を示す説明図である。
図３、図４に示されているように、引戸のシール構造１０が取り付けられた引戸を引戸枠のレールＲに沿って引戸を閉塞させる方向に移動させる（Ｓ１）と、引戸の下枠１００からレールＲに向かって突出する作動片２２がレールＲの延長上に形成された突出部２００ａに乗りあがる（Ｓ２）。作動片２２の下端部２２ａが突出部２００ａに乗りあがった後に、さらに引戸を閉塞方向に移動させると、作動片２２は支持軸２４を中心として引戸が閉塞する方向に回動する（Ｓ３）。
【００２０】
作動片２２が回動すると、作動片２２の上端部（他端部）２２ｂが移動体５０に形成された当接部５０ａに当接して移動体５０を引戸を閉塞させる方向と同方向に移動させる（Ｓ４）。これと同時に、移動体５０に形成された押圧部５４も引戸の閉塞方向と同方向に移動する（Ｓ５）。移動体５０の移動と共に水平方向に移動した押圧部５４は、閉塞フレーム３０に形成された被押圧部３２に乗り上がると共に、被押圧部３２を下方へ押圧することにより閉塞フレーム３０を押し下げる（Ｓ６）。閉塞フレーム３０が下方に押し下げられることにより、引戸の下枠１００と引戸枠の下枠２００との間の隙間Ｓが閉塞される。
【００２１】
引戸と引戸枠の角がそれぞれ直角になっていない場合には、引戸の下枠１００と引戸枠の下枠２００との間の隙間Ｓの正面視形状は長方形ではなくなる。したがって、引戸が移動する方向において、引戸の下枠１００と引戸枠の下枠２００との離間距離が異なることになる。
本発明に係る引戸のシール構造１０においては、引戸の下枠１００の長手方向における中央部分にのみ押圧部５４が形成されていて、被押圧部３２に乗り上げて、閉塞フレーム３０を押し下げる構造となっている。すなわち、閉塞フレーム３０の先端部３０ｄのいずれかの位置が床面に当接すると、床面と当接した部分はその状態を維持し、それ以外の部分がさらに下降することになり、引戸の下枠１００と引戸枠の下枠２００との離間距離が異なる場合であっても、確実に隙間Ｓを閉塞することが可能である。また、閉塞フレーム３０の先端部３０ｄには、フェルト材が配設されているので、閉塞フレーム３０の先端部３０ｄが床面に当接した際においても、閉塞フレーム３０と床面との衝撃が緩衝され、特に音を生じることがなく静かな閉塞が可能になる。
【００２２】
引戸が閉塞された状態においては、作動片２２が回動した状態が維持されているので、閉塞フレーム３０は隙間Ｓを閉塞したままの状態になる。この際、第１の付勢手段であるつるまきバネ６０は固定フレーム２０と移動体５０に係止されていて、つるまきバネ６０が伸びた状態となっているので、移動体５０には、引戸を開放する方向に作用する付勢力が生じている（Ｓ７）。
また、第２の付勢手段であるつるまきバネ７０が閉塞フレーム３０の天板３０ａの内面においてネジに挿通され、閉塞フレーム３０により押圧縮されながら配設されているので、閉塞フレーム３０には上向きに作用する付勢力が生じている（Ｓ８）。
【００２３】
引戸を開放する方向に移動させると、作動片２２が引戸の移動方向と同方向に回動し、元の状態（鉛直に軸支された状態）に戻る（Ｓ９）。作動片２２が元に位置に戻ると、移動体５０および閉塞フレーム３０に作用していた付勢力により、移動体５０と閉塞フレーム３０は初期位置に戻ることになる（Ｓ１０）。このように、引戸が閉塞する直前以外においては、閉塞フレーム３０が引戸枠の下枠１００から突出することがないため、引戸を移動させる際において閉塞フレーム３０がレールＲに干渉して、引戸の移動を妨げることはない。
【００２４】
以上に本実施の形態について引戸のシール装置について詳細に説明してきたが、本発明に係る引戸のシール構造は以上の実施の形態に限定されるものではない。例えば、第１および第２の付勢手段６０、７０にはそれぞれつるまきバネが用いられているがゴム糸や油圧ダンパー等の他の付勢手段を用いることができるのはもちろんである。
また、回動片２２は、閉塞フレーム３０の内部空間内を引戸が移動する方向に回動する形態としているが、引戸の下枠の外面部分に軸支させる形態とすることも可能である。
【図面の簡単な説明】
【００２５】
【図１】本実施の形態における引戸のシール構造の組立説明図である。
【図２】引戸の下枠部分における拡大説明図である。
【図３】本実施の形態の引戸のシール構造における各部品の作用を示す説明図である。
【図４】本実施の形態の引戸のシール構造における各部品の作用を示す説明図である。
【符号の説明】
【００２６】
１０  シール構造
２０  固定フレーム
２２  作動片
２４  支持軸
３０  閉塞フレーム
３２  被押圧部
４０  戸車
５０  移動体
５０ａ  当接部
５２  支持フレーム
５４  押圧部
６０  第１の付勢手段（つるまきバネ）
７０  第２の付勢手段（つるまきバネ）
１００  引戸の下枠
２００  引戸枠の下枠
２００ａ  突出部
ＤＨ  動作変換部
Ｒ  レール
Ｓ  隙間
【図１】
2005256553.tif 000003
【図２】
2005256553.tif 000004
【図３】
2005256553.tif 000005
【図４】
2005256553.tif 000006